(57)【要約】      （修正有）【課題】公衆電話交換回線網（ＰＳＴＮ）により通話目的を達するデジタルコードレスによるハンズフリー通信装置を提供する。【解決手段】デジタルコードレス本体３とデジタルワイヤレスイヤホン４を含む。デジタルコードレス本体は公衆電話交換回線網に電気的に接続され、その上に磁気部材３４を取り付けたイヤホン収納スペースを設置する。デジタルワイヤレスイヤホンはイヤホン収納スペース３２に分離可能に設置され、デジタルワイヤレス通信技術によりデジタルコードレス本体と通信接続する。デジタルワイヤレスイヤホンには導磁性部材４２を取り付け、デジタルワイヤレスイヤホンがイヤホン収納スペースに接近すると、磁気部材がデジタルワイヤレスイヤホンの導磁性部材を吸着して、デジタルワイヤレスイヤホンをイヤホン収納スペース内に速やかに収納する。【選択図】図３Ａ
0003159833.tif 000002
【実用新案登録請求の範囲】
【請求項１】
公衆電話交換回線網に電気的に接続され、磁気部材を取り付けたイヤホン収納スペースを設置したデジタルコードレス本体と、
前記イヤホン収納スペースに分離可能に設置され、導磁性部材を取り付けたデジタルワイヤレスイヤホンと、
を含み、前記デジタルワイヤレスイヤホンは前記イヤホン収納スペースに収納されると前記デジタルコードレス本体と電気的に接続され、前記デジタルワイヤレスイヤホンが前記イヤホン収納スペースから分離すると、前記デジタルワイヤレスイヤホンは前記デジタルコードレス本体と通信接続されることを特徴とするデジタルコードレスによるハンズフリー通信装置。
【請求項２】
前記デジタルコードレス本体上にラッチ機構を取り付け、前記イヤホン収納スペースが前記デジタルワイヤレスイヤホンをラッチすることを特徴とする請求項１に記載のデジタルコードレスによるハンズフリー通信装置。
【請求項３】
前記デジタルコードレス本体はさらに、
前記公衆電話交換回線網から受信信号を受信すると共に前記受信信号に基づき着信音を発する電話着信音装置と、
前記公衆電話交換回線網に電気的に接続される電子スイッチユニットと、
前記電話着信音装置から前記受信信号を受信すると共に前記受信信号に基づいて前記電子スイッチユニットをオンに制御する第１中央制御装置と、
前記第１中央制御装置と前記電子スイッチユニットに電気的に接続され、オンした前記電子スイッチユニットを経由して前記受信信号を受信すると共に、双方向通話ネットワークを提供する通話ネットワーク機器と、
前記第１中央制御装置に電気的に接続された第１デジタルワイヤレス送信ユニットと、
を含むことを特徴とする請求項２に記載のデジタルコードレスによるハンズフリー通信装置。
【請求項４】
前記デジタルコードレス本体はさらに、前記第１中央制御装置に接続され前記イヤホン収納スペースが前記デジタルワイヤレスイヤホンを収納するのに応じて判断信号を前記第１中央制御装置に出力する判断回路を含むことを特徴とする請求項３に記載のデジタルコードレスによるハンズフリー通信装置。
【請求項５】
前記デジタルコードレス本体はさらに、
前記第１中央制御装置に電気的に接続された第１表示装置と、
前記第１中央制御装置に電気的に接続された第１フラッシュメモリユニットと、
前記第１中央制御装置に電気的に接続された第１拡声器と、
前記第１中央制御装置に電気的に接続された第１マイクと、
を含むことを特徴とする請求項４に記載のデジタルコードレスによるハンズフリー通信装置。
【請求項６】
前記デジタルコードレス本体はさらに、
前記第１中央制御装置と第１デジタルワイヤレス送信ユニットに電気的に接続されて直流電流を受電すると共に供給電圧を前記第１中央制御装置と第１デジタルワイヤレス送信ユニットに出力する電圧調整ユニットと、
前記第１中央制御装置に電気的に接続されて直流電流を受電すると共に前記デジタルワイヤレスイヤホンが前記イヤホン収納スペースに設置されると充電電圧を前記デジタルワイヤレスイヤホンに出力する充電回路装置と、
前記第１中央制御装置に電気的に接続された充電信号灯指示装置と、
を含むことを特徴とする請求項５に記載のデジタルコードレスによるハンズフリー通信装置。
【請求項７】
前記デジタルコードレス本体はさらに、
前記公衆電話交換回線網に電気的に接続されて前記受信信号を保護する電撃防止装置と、
前記電撃防止装置と前記電話着信音装置との間に電気的に接続されて前記受信信号の整流処理をするブリッジ整流器と、
を含むことを特徴とする請求項６に記載のデジタルコードレスによるハンズフリー通信装置。
【請求項８】
前記デジタルワイヤレスイヤホンは、
第２中央制御装置と、
前記第２中央制御装置に電気的に接続された第２デジタルワイヤレス送信ユニットと、
前記第２中央制御装置と前記第２デジタルワイヤレス送信ユニットに電気的に接続された電池と、
を含むことを特徴とする請求項１に記載のデジタルコードレスによるハンズフリー通信装置。
【請求項９】
前記デジタルワイヤレスイヤホンはさらに、
前記第２中央制御装置に電気的に接続され電話番号と各種機能コマンドを前記第２中央制御装置に提供するプッシュボタンユニットと、
前記第２中央制御装置に電気的に接続された第２表示装置と、
を含むことを特徴とする請求項８に記載のデジタルコードレスによるハンズフリー通信装置。
【請求項１０】
前記デジタルワイヤレスイヤホンはさらに、
前記第２中央制御装置に電気的に接続された第２フラッシュメモリユニットと、
前記第２中央制御装置に電気的に接続された第２拡声器と、
前記第２中央制御装置に電気的に接続された第２マイクと、
を含むことを特徴とする請求項９に記載のデジタルコードレスによるハンズフリー通信装置。
【考案の詳細な説明】
【技術分野】
【０００１】
本考案はデジタルコードレスによるハンズフリー通信装置に関し、特に公衆電話交換回線網（Ｐｕｂｌｉｃ  Ｓｗｉｔｃｈ  Ｔｅｌｅｐｈｏｎｅ  Ｎｅｔｗｏｒｋ；ＰＳＴＮ）に接続して一般の電話を掛けるデジタルコードレスによるハンズフリー通信装置に関する。
【背景技術】
【０００２】
図１は一般的な従来の電話機による一実施形態の概略図である。従来の電話機１は電話機本体１０と送受話器１２の間に通信接続ケーブル１４を有する構造となっており、送信線１６で公衆電話交換回線網（ＰＳＴＮ）２に接続される。ユーザーは電話機本体１０上のプッシュボタン１８をプッシュして公衆電話交換回線網２により遠隔地の連絡人に接続されて、送受話器１２で連絡人と通話することができる。
【０００３】
近年、デジタルコードレス通信（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ；ＤＥＣＴ）規格が一層普及し世界各国で利用されている。ＤＥＣＴ規格の利用には下記の長所がある。１、デジタル処理された音質が明晰である。２、着信可能な範囲が広い。３、他の通信や電波の干渉を受けないといった特徴である。
【０００４】
従って、デジタルコードレス通信技術の恩恵により、元々電話機本体１０が通信接続ケーブル１４を経て送受話器１２にケーブル接続されていた従来の技術的構造に改良を加え、図２に示すように、デジタルコードレス通信機能を備えたコードレス電話機１’として、同様にデジタルコードレス通信機能を備えた台座１０’と組合せることができる。コードレス電話機１’と台座１０’とをコードレスで接続し、台座１０’と公衆電話交換回線網２を接続することにより、ユーザーは所定の範囲内で距離に制限されずに通話ができる。
【０００５】
しかし、コードレス電話機１’はコードレス機能を備えているものの、ユーザーは長時間送受話器を握っていると腕がだるくなり、利便性において課題となっている。
【考案の概要】
【考案が解決しようとする課題】
【０００６】
これに鑑みて、本考案は公衆電話交換回線網（ＰＳＴＮ）により通話目的を達するデジタルコードレスによるハンズフリー通信装置を提供する。また、デジタルコードレスによるハンズフリー通信装置では、ユーザーはデジタルワイヤレスイヤホンでの通話や本体による拡声通話を含む様々な通話方法が可能である。
【課題を解決するための手段】
【０００７】
本考案に係るデジタルコードレスによるハンズフリー通信装置はデジタルコードレス本体とデジタルワイヤレスイヤホンを含む。デジタルコードレス本体は公衆電話交換回線網に電気的に接続され、磁気部材が取り付けられたイヤホン収納スペースを設置する。デジタルワイヤレスイヤホンはデジタルワイヤレス通信技術によりデジタルコードレス本体に接続されると共にイヤホン収納スペースに分離可能に設置される。デジタルワイヤレスイヤホンには導磁性部材を取り付け、デジタルワイヤレスイヤホンがイヤホン収納スペースに接近すると、磁気部材がデジタルワイヤレスイヤホンの導磁性部材を吸着して、デジタルワイヤレスイヤホンをイヤホン収納スペース内に速やかに収納する。
【０００８】
デジタルワイヤレスイヤホンは、イヤホン収納スペースに収納されるとデジタルコードレス本体に電気的に接続され、イヤホン収納スペースから分離されるとデジタルコードレス本体に通信接続される。
【考案の効果】
【０００９】
このようにして、前記本考案に係るデジタルコードレスによるハンズフリー通信装置は構造的に組合せて回路を接続することにより、ユーザーが一般的な従来の電話機を使用して腕がだるくなるような状況や不便を効果的に解決することができる。
【００１０】
本考案に係る特徴や技術内容が一層理解できるよう、以下に本考案に関する詳細説明と添付図面を参照するが、添付図面は参考及び説明用に過ぎず、本考案に制限を課すものではない。
【図面の簡単な説明】
【００１１】
【図１】一般的な従来の電話機による一実施形態の概略図である。
【図２】一般的な従来のコードレス電話機による一実施形態の概略図である。
【図３Ａ】本考案に係る一外観の参考概略図である。
【図３Ｂ】本考案に係る別の一外観の参考概略図である。
【図４】本考案に係るデジタルコードレス本体の回路ブロック概略図である。
【図５】本考案に係るデジタルワイヤレスイヤホンの回路ブロック概略図である。
【図６Ａ】本考案に係るデジタルコードレス本体の細部を示した回路概略図である。
【図６Ｂ】本考案に係るデジタルコードレス本体の細部を示した回路概略図である。
【図６Ｃ】本考案に係るデジタルコードレス本体の細部を示した回路概略図である。
【図６Ｄ】本考案に係るデジタルコードレス本体の細部を示した回路概略図である。
【図７Ａ】本考案に係るデジタルワイヤレスイヤホンの細部を示した回路概略図である。
【図７Ｂ】本考案に係るデジタルワイヤレスイヤホンの細部を示した回路概略図である。
【図７Ｃ】本考案に係るデジタルワイヤレスイヤホンの細部を示した回路概略図である。
【図７Ｄ】本考案に係るデジタルワイヤレスイヤホンの細部を示した回路概略図である。
【図７Ｅ】本考案に係るデジタルワイヤレスイヤホンの細部を示した回路概略図である。
【考案を実施するための形態】
【００１２】
図３Ａは本考案に係る外観の参考概略図である。本考案に係るデジタルコードレスによるハンズフリー通信装置はデジタルコードレス本体３とデジタルワイヤレスイヤホン４を含む。デジタルコードレス本体３の外観はＵ字型（図３Ａ参照）や図３Ｂに示すような矩形に設計することができる。前記図３Ｂは本考案に係る別の一外観の参考概略図である。デジタルコードレス本体３は公衆電話交換回線網５に電気的に接続されると共にその上にイヤホン収納スペース３２を設置してその内部に磁性部材３４を取り付ける。また、デジタルワイヤレスイヤホン４はイヤホン収納スペース３２内に分離可能に設置される。さらに、デジタルワイヤレスイヤホン４がイヤホン収納スペース３２に収納されると、デジタルワイヤレスイヤホン４はデジタルコードレス本体３と電気的に接続され、デジタルワイヤレスイヤホン４がイヤホン収納スペース３２から分離すると、デジタルワイヤレスイヤホン４はデジタルワイヤレス通信技術によりデジタルコードレス本体３と通信接続される。図３Ａ、３Ｂを参照する。デジタルワイヤレスイヤホン４上には導磁性部材４２を取り付け、デジタルワイヤレスイヤホン４がイヤホン収納スペース３２に接近すると、イヤホン収納スペース３２内の磁気部材３４がデジタルワイヤレスイヤホン４の導磁性部材４２を吸着して、デジタルワイヤレスイヤホン４をイヤホン収納スペース３２内に速やかに収納することができる。導磁性部材４２は金属部材又はその他の磁気に吸引される部材でよい。この種の磁気で吸着する設計はイヤホン収納スペース３２内の磁気部材３４が磁気吸引効果を生じて、デジタルワイヤレスイヤホン４がデジタルコードレス本体３のイヤホン収納スペース３２に接近すると、デジタルワイヤレスイヤホン４の導磁性部材４２を吸着して、デジタルワイヤレスイヤホン４がイヤホン収納スペース３２内に速やかに収納されると共に、デジタルワイヤレスイヤホン４がデジタルコードレス本体３に電気的に接続される。
【００１３】
図３Ａ、３Ｂを参照する。デジタルコードレス本体３の装置内部に一般の通話サービス用として第１制御回路（図示せず）を設け、装置上にイヤホン収納スペース３２を設ける。デジタルワイヤレスイヤホン４がイヤホン収納スペース３２に収納されると、デジタルコードレス本体３の装置内部の第１制御回路がデジタルワイヤレスイヤホン４の第２制御回路（図示せず）に電気的に接続される。
【００１４】
図３Ａ、３Ｂを参照する。本考案に係るデジタルコードレス本体３は公衆電話交換回線網（ＰＳＴＮ）５に有線で接続されると共に公衆電話交換回線網（ＰＳＴＮ）５により遠隔地と通信する。デジタルコードレス本体３は拡声／受信機能を備え、ユーザーはデジタルコードレス本体３の拡声／受信機能を利用して遠隔地と双方向通信が出来ると共に、デジタルコードレス本体３は複数の人が共用して遠隔地と双方向通信も出来る。さらに、ユーザーはデジタルコードレス本体３からデジタルワイヤレスイヤホン４を取り出してハンズフリーで遠隔地とプライベートな通信ができる。デジタルワイヤレスイヤホン４をデジタルコードレス本体３から外すと、両者はデジタルコードレス通信技術でコードレス通信する。
【００１５】
図３Ａ、３Ｂを参照する。デジタルワイヤレスイヤホン４がデジタルコードレス本体３上に置かれると、デジタルワイヤレスイヤホン４とデジタルコードレス本体３はＵＳＢで電気的に接続されるか又は金属接点で電気的に接続される。また、デジタルコードレス本体３はラッチ機構３６を取り付けることができる。ラッチ機構３６はユーザーがデジタルワイヤレスイヤホン４をイヤホン収納スペース３２内にラッチするよう選択することができ、幼児がデジタルワイヤレスイヤホン４を取り出して誤飲するといった状況の発生を防止する。
【００１６】
図３Ａ、３Ｂと併せて図４と図６Ａから図６Ｄを参照する。図４は本考案に係るデジタルコードレス本体の回路ブロック概略図である。図６Ａから図６Ｄは本考案に係るデジタルコードレス本体の細部を示した回路概略図である。本考案に係るデジタルコードレス本体３の第１制御回路は電話着信音装置３０３、電子スイッチユニット３０２、第１中央制御装置３０１、通話ネットワーク機器３０４及び第１デジタルワイヤレス送信ユニット３０９を含む。電話着信音装置３０３は公衆電話交換回線網５から受信信号Ｓ１を受信すると共に受信信号Ｓ１に基づいて着信音を発する。電子スイッチユニット３０２は公衆電話交換回線網５、第１中央制御装置３０１、及び通話ネットワーク機器３０４に電気的に接続される。
【００１７】
第１中央制御装置３０１は電話着信音装置３０３を経由して受信信号Ｓ１を受信すると、受信信号Ｓ１に基づいて電子スイッチユニット３０２をオンにする。このとき通話ネットワーク機器３０４はオンとなった電子スイッチユニット３０２を経由して受信信号Ｓ１を受信すると共に受信信号Ｓ１に基づいて双方向通話ネットワークを提供する。第１中央制御装置３０１は双方向通話のデータ処理を行うと共に、処理後のデータを第１デジタルワイヤレス送信ユニット３０９で遠隔地にあるデジタルワイヤレスイヤホン４に送信して双方向のワイヤレス通信の目的を達する。
【００１８】
図３Ａ、３Ｂと併せて図４を参照する。デジタルコードレス本体３の第１制御回路はさらに判断回路３０７、第１表示装置３１５、第１フラッシュメモリユニット３０８、第１拡声器３１４、第１マイク３１３、電圧調整ユニット３１０、充電回路装置３１１、及び充電信号灯指示装置３１２を含み、前記各部材は何れも第１中央制御装置３０１に電気的に接続される。判断回路３０７はイヤホン収納スペース３２がデジタルワイヤレスイヤホン４を収納したか否かに基づいて判断信号Ｓ２を第１中央制御装置に３１０出力する。第１表示装置３１５は電池の残量、充電状態、電話番号、連絡簿といったデータを表示する。第１フラッシュメモリユニット３０８は本体の応用プログラムを保存するためのもので、第１中央制御装置３０１が実行して前記各部材をコントロールする。第１拡声器３１４と第１マイク３１３は双方向の音声信号を拡声したり受信したりする。
【００１９】
また、電圧調整ユニット３１０は第１デジタルワイヤレス送信ユニット３０９に電気的に接続して直流電源ＶＤＤを受電すると共に供給電圧ＶＣＣを第１中央制御装置３０１と第１デジタルワイヤレス送信ユニット３０９に出力する。充電回路装置３１１は直流電流ＶＤＤを受電すると共にデジタルワイヤレスイヤホン４がイヤホン収納スペース３２に設置されると、第１中央制御装置３０１が出力する制御信号ＳＣ１に制御されて充電電圧Ｖｃｈ１を前記デジタルワイヤレスイヤホン４に出力する。充電信号灯指示装置３１２は受電の指示をする。
【００２０】
図３Ａ、３Ｂと併せて図４を参照する。デジタルコードレス本体３の第１制御回路はさらに電撃防止装置３０５とブリッジ整流器３０６を含み、電撃防止装置３０５は公衆電話交換回線網５に電気的に接続されて受信信号Ｓ１を保護する。ブリッジ整流器３０６は電撃防止装置３０５と電話着信音装置３０３との間を電気的に接続すると共に受信信号Ｓ１を整流処理する。
【００２１】
図３Ａ、３Ｂと併せて図５及び図７Ａから図７Ｅを参照する。図５は本考案に係るデジタルワイヤレスイヤホンの回路ブロック概略図である。図７Ａから図７Ｅは本考案に係るデジタルワイヤレスイヤホンの細部を示した回路概略図である。本考案に係るデジタルワイヤレスイヤホン４の第２制御回路は第２中央制御装置４０１、第２デジタルワイヤレス送信ユニット４０５、及び電池４０８を含み、前記各部材は何れも第２中央制御装置４０１に電気的に接続される。第２中央制御装置４０１は第２デジタルワイヤレス送信ユニット４０５と遠隔地のデジタルコードレス本体３に通信接続される。また、電池４０８は同時に第２中央制御装置４０１と第２デジタルワイヤレス送信ユニット４０５に電気的に接続され、第２中央制御装置４０１と第２デジタルワイヤレス送信ユニット４０５が作動するのに必要な電力を供給する。
【００２２】
図３Ａ、３Ｂと併せて図５を参照する。本考案に係るデジタルワイヤレスイヤホン４の第２制御回路はさらに、プッシュボタンユニット４１０、第２表示装置４０９、第２フラッシュメモリユニット４０４、第２拡声器４１３、第２マイク４１１を含み、前記各部材は何れも第２中央制御装置４０１に電気的に接続される。プッシュボタンユニット４１０は電話番号と各種機能コマンドを第２中央制御装置４０１に提供し、第２中央制御装置４０１がダイヤル、音声信号送信ルートの選択、通信ネットワークの選択等の機能に関連する操作をするよう指示する。第２表示装置４０９は電池の残量、充電状態、電話番号、連絡簿といったデータを表示する。第２フラッシュメモリユニット４０４はデジタルワイヤレスイヤホンの応用プログラムを保存するためのもので、第２中央制御装置４０１が実行して前記各部材をコントロールする。第２拡声器４１３と第２マイク４１１は双方向の音声信号を拡声したり受信したりする。
【００２３】
図３Ａから図５を参照する。本考案に係るデジタルコードレスによるハンズフリー通信装置の応用では、受信するとユーザーはデジタルコードレス本体３の第１拡声器３１４、第１マイク３１３で直接双方向通信を行う。また、受信するとユーザーはデジタルコードレス本体３からデジタルワイヤレスイヤホン４を取り出す様選択してハンズフリーで双方向通信することもできる。
【００２４】
図３Ａから図５を参照する。受信するとユーザーはデジタルコードレス本体３上の着信プッシュボタン（図示せず）を操作して第１中央制御装置３０１に通知し、第１中央制御装置３０１が電子スイッチユニット３０２をオンにして受信信号Ｓ１を受信する。続いてデジタルコードレス本体３内の電子スイッチユニット３０２、第１中央制御装置３０１、通話ネットワーク機器３０４、第１マイク３１３、及び第１拡声器３１４が作動して提供する拡声／受信機能によって、ユーザーは遠隔地と双方向通信することができると共に複数の人がデジタルコードレス本体３を共用して遠隔地と双方向通信することもできる。
【００２５】
図３Ａから図５を参照する。受信した際ユーザーがデジタルコードレス本体３からデジタルワイヤレスイヤホン４を取り出すと、デジタルコードレス本体３の判断回路３０７が判断信号Ｓ２を第１中央制御装置３０１に送信し、第１中央制御装置３０１が電子スイッチユニット３０２をオンにして受信信号Ｓ１を受信する。続いて、デジタルコードレス本体３内の電子スイッチユニット３０２、第１中央制御装置３０１、通話ネットワーク機器３０４、第１デジタルワイヤレス送信ユニッ３０９、及びデジタルワイヤレスイヤホン４が作動して、ユーザーはデジタルワイヤレスイヤホン４を使用してハンズフリーで遠隔地と通信ができる。
【００２６】
このほか受信時に、デジタルワイヤレスイヤホン４がデジタルコードレス本体３から分離されると、ユーザーはデジタルワイヤレスイヤホン４上のプッシュボタンユニット４１０をコントロールしてデジタルワイヤレス通信技術で第１中央制御装置３０１を制御し、第１中央制御装置３０１が電子スイッチユニット３０２をオンにして受信信号Ｓ１を受信する。続いてデジタルコードレス本体３内の電子スイッチユニット３０２、第１中央制御装置３０１、通話ネットワーク機器３０４、第１デジタルワイヤレス送信ユニッ３０９、及びデジタルワイヤレスイヤホン４が作動して、ユーザーはデジタルワイヤレスイヤホン４を使用してハンズフリーで遠隔地と通信ができる。
【００２７】
以上を総合すると、本考案に係るデジタルコードレスによるハンズフリー通信装置は公衆電話交換回線網に接続して一般の電話を掛けるためのものである。また、本考案はユーザーに一般の電話通信でハンズフリーで双方向通信することができるという目的を達成し、その上ユーザーが一般的な従来の電話機を使用して腕がだるくなるような状況や不便を効果的に解決することができる。そして、本考案が提供する拡声／受信機能は第三者や複数の人が通話に参加することができ、ユーザーは通信面で多様な選択ができ、人々の生活面や仕事面での利便性が向上する。
【００２８】
以上、本考案の実施形態について図面を参照して詳述したが、具体的な構成はこの実施形態に限られるものではなく、本発明の要旨を逸脱しない範囲の設計変更等も含まれる。
【符号の説明】
【００２９】
１  電話機
１０  電話機本体
１２  送受話器
１４  通信接続ケーブル
１６  送信線
２  公衆電話交換回線網（ＰＳＴＮ）
１８  プッシュボタン
１’  コードレス電話機
１０’  台座
３  デジタルコードレス本体
３２  イヤホン収納スペース
３０１  第１中央制御装置
３０２  電子スイッチユニット
３０３  電話着信音装置
３０４  通話ネットワーク機器
３０５  電撃防止装置
３０６  ブリッジ整流器
３０７  判断回路
３０８  第１フラッシュメモリユニット
３０９  第１デジタルワイヤレス送信ユニット
３１０  電圧調整ユニット
３１１  充電回路装置
３１２  充電信号灯指示装置
３１３  第１マイク
３１４  第１拡声器
３１５  第１表示装置
Ｓ１  受信信号
Ｓ２  判断信号
ＶＤＤ  直流電源
ＶＣＣ  供給電圧
ＳＣ１  制御信号
Ｖｃｈ１  第１充電電圧
４  デジタルワイヤレスイヤホン
４０１  第２中央制御装置
４０４  第２フラッシュメモリユニット
４０５  第２デジタルワイヤレス送信ユニット
４０８  電池
４０９  第２表示装置
４１０  プッシュボタンユニット
４１１  第２マイク
４１３  第２拡声器
３４  磁気部材
３６  ラッチ機構
５  公衆電話交換回線網
４２  導磁性部材
【図１】
0003159833.tif 000003
【図２】
0003159833.tif 000004
【図３Ａ】
0003159833.tif 000005
【図３Ｂ】
0003159833.tif 000006
【図４】
0003159833.tif 000007
【図５】
0003159833.tif 000008
【図６Ａ】
0003159833.tif 000009
【図６Ｂ】
0003159833.tif 000010
【図６Ｃ】
0003159833.tif 000011
【図６Ｄ】
0003159833.tif 000012
【図７Ａ】
0003159833.tif 000013
【図７Ｂ】
0003159833.tif 000014
【図７Ｃ】
0003159833.tif 000015
【図７Ｄ】
0003159833.tif 000016
【図７Ｅ】
0003159833.tif 000017